(57)【要約】【課題】基礎用配筋の設置作業を妨げずにアンカーボルトを配置でき、しかも、設置作業性に優れ、強度上の問題も解消することができるアンカーボルト固定装置を提供する。【解決手段】複数本のアンカーボルト１の上部を主筋Ｓの妨げにならない間隔に保持するテンプレート２を設ける。このアンカーボルト１の下部をテンプレート２と同じ間隔で保持する補助フレーム３を設ける。該補助フレーム３の下方に突出したアンカーボルト１の下方に連結され該アンカーボルト１を支持する脚部５を設ける。該脚部５の上端とアンカーボルト１の下端とに連結され、アンカーボルト１の高さを調整するカプラー４を設ける。基礎Ｑ設置位置に敷設された捨てコンクリートＲの上面に固定され、脚部５の下端部を支持する金属製の支持プレート６を設ける。【選択図】図２
0003131447.tif 000002
【実用新案登録請求の範囲】
【請求項１】
構造物を基礎に連結するアンカーボルトを基礎設置位置に固定するアンカーボルト固定装置において、複数本のアンカーボルトの上部を主筋の妨げにならない間隔に保持するテンプレートと、このアンカーボルトの下部をテンプレートと同じ間隔で保持する補助フレームと、該補助フレームの下方に突出したアンカーボルトの下方に連結され該アンカーボルトを支持するボルト状の脚部と、該脚部の上端とアンカーボルトの下端とに連結され、アンカーボルトの高さを調整するカプラーと、基礎設置位置に敷設された捨てコンクリートの上面に固定され、脚部の下端部を支持固定する金属製の支持プレートと、からなることを特徴とするアンカーボルト固定装置。
【請求項２】
前記補助フレームの上面に、アンカーボルトを保持する挿通孔周囲に配置された定着板と、アンカーボルトにネジ止めされ該定着板を補助フレーム側に押圧する固定ナットと、を備えた請求項１記載のアンカーボルト固定装置。
【請求項３】
前記カプラーは、筒状体の上下端部に一対の連結ナットを固着すると共に、該筒状体の側壁を貫通する貫通孔を設けた請求項１記載のアンカーボルト固定装置。
【請求項４】
前記カプラーの上下の連結ナットの径を変えて、径の異なる前記アンカーボルトと前記脚部とを連結するように設けた請求項１又は３記載のアンカーボルト固定装置。
【請求項５】
前記カプラーの上下の連結ナットのピッチを変えて、ピッチの異なる前記アンカーボルトと前記脚部とを連結するように設けた請求項１又は３記載のアンカーボルト固定装置。
【請求項６】
前記カプラーとして長ナットが使用される請求項１記載のアンカーボルト固定装置。
【考案の詳細な説明】
【技術分野】
【０００１】
本考案は、Ｓ造またはＳＲＣ造の構造物を基礎に固定するアンカーボルトの固定装置に係り、基礎用配筋の設置作業を妨げずにアンカーボルトを配置でき、しかも、コンクリート打設時においてアンカーボルトの位置ずれを防止するアンカーボルト固定装置に関するものである。
【背景技術】
【０００２】
Ｓ造またはＳＲＣ造の構築物は、基礎に固定したアンカーボルトに鉄骨を連結する。このアンカーボルトを、基礎に固定するには、基礎設置位置に予め支持フレームを構築し、この支持フレームにアンカーボルトを固定する。更に、支持フレームの周囲に基礎を形成する基礎用の主筋やフープを組み付けた後に、コンクリートを打設して支持フレームごとアンカーボルトを固定するものである。
【０００３】
ところが、基礎を構築するには、基礎用の主筋等の他に、地中梁用の主筋等も組み付けることになる。このため、これらの主筋等がアンカーボルトを固定する支持フレームと交錯するので、支持フレームを組み立てるスペースが限られることになっていた。この結果、配筋用の図面を製作し、設計監理会社と折衝して支持フレームの組み立てスペースを確保するなどといった多くの手間を要している。
【０００４】
そこで、基礎用配筋の設置作業を妨げずにアンカーボルトを配置できるアンカーボルト固定装置が特許文献１に提案されている。この特許文献１によると、複数本のアンカーボルトを所定の間隔に保持するテンプレートと、アンカーボルトをアンカーボルトの鉛直下方で支持するアンカー保持部と、アンカー保持部の下端に連結する連結枠体と、更に連結枠体の下方に連結する調整用ボルトとからなるものである。
【特許文献１】実用新案登録第３０７７９９８号公報
【考案の開示】
【考案が解決しようとする課題】
【０００５】
ところが、特許文献１のアンカーボルト固定装置によると、アンカーボルトを支持するために、テンプレートのほかに、補助フレームや連結枠体、調整用ボルトなど、数多くの部材を上下に配しているので、これらの部材の連結作業に多くの手間を要していた。
【０００６】
また、アンカーボルトの連結箇所を長ナットで連結する構造になっているので、アンカーボルトの径が長ナットの規格よりも太くなった場合には、この固定装置が使用できなくなる不都合がある。しかも、アンカーボルトの複数個所を長ナットで連結すると、連結強度にも問題が生じる。
【０００７】
そこで、本考案は、上述の課題を解消すべく案出されたもので、基礎用配筋の設置作業を妨げずにアンカーボルトを配置でき、しかも、設置作業性に優れ、強度上の問題も解消することができるアンカーボルト固定装置の提供を目的とするものである。
【課題を解決するための手段】
【０００８】
上述の目的を達成すべく本考案の第１の手段は、構造物Ｐを基礎Ｑに連結するアンカーボルト１を基礎Ｑ設置位置に固定するアンカーボルト固定装置において、複数本のアンカーボルト１の上部を主筋Ｓの妨げにならない間隔に保持するテンプレート２と、このアンカーボルト１の下部をテンプレート２と同じ間隔で保持する補助フレーム３と、該補助フレーム３の下方に突出したアンカーボルト１の下方に連結され該アンカーボルト１を支持するボルト状の脚部５と、該脚部５の上端とアンカーボルト１の下端とに連結され、アンカーボルト１の高さを調整するカプラー４と、基礎Ｑ設置位置に敷設された捨てコンクリートＲの上面に固定され、脚部５の下端部を支持固定する金属製の支持プレート６と、により構成されるものである。
【０００９】
第２の手段において、前記補助フレーム３の上面に、アンカーボルト１を保持する挿通孔３Ａ周囲に配置された定着板７と、アンカーボルト１にネジ止めされ該定着板７を補助フレーム３側に押圧する固定ナット３Ｂと、を備えている。
【００１０】
第３の手段のカプラー４は、筒状体４Ａの上下端部に一対の連結ナット４Ｂを固着すると共に、該筒状体４Ａの側壁を貫通する貫通孔４Ｃを設けている。
【００１１】
第４の手段は、前記カプラー４の上下の連結ナット４Ｂの径を変えて、径の異なる前記アンカーボルト１と前記脚部５とを連結するように設けている。
【００１２】
第５の手段は、前記カプラー４の上下の連結ナット４Ｂのピッチを変えて、ピッチの異なる前記アンカーボルト１と前記脚部５とを連結するように設けている。
【００１３】
第６の手段は、カプラー４として長ナットを使用することを課題解消のための手段とする。
【考案の効果】
【００１４】
本考案の請求項１によると、アンカーボルト１は、基礎用配筋の妨げにならない間隔でテンプレート２と補助フレーム３とにセットされ、この状態で基礎設置位置に搬送される。その後、カプラー４を介してアンカーボルト１の下端部にアンカーボルト１の高さを調整しながら脚部５を連結するので、基礎用配筋の設置作業を妨げずにアンカーボルトを配置することができる。しかも、基礎構築用のアンカーボルト１をまとめて設置できるので、設置作業性がすこぶる合理的である。また、テンプレート２にセットしたアンカーボルト１のいずれかを選択して脚部５を連結できるので、基礎の下端部周辺に複雑に配置された配筋や障害物を避けて設置することができる。さらに、カプラー４によってアンカーボルト１の高さを調整できるので、床面に段差が生じている場合でも、フレキシブルに対応することができる。
【００１５】
請求項２によると、前記補助フレーム３の上面に、アンカーボルト１を保持する挿通孔３Ａ周囲に配置された定着板７と、アンカーボルト１にネジ止めされ該定着板７を補助フレーム３側に押圧する固定ナット３Ｂと、を備えていることから、補助フレーム３で保持した各アンカーボルト１を、この補助フレーム３に強固に固定することができる。この結果、コンクリート打設の際に生じ易いアンカーボルト１の位置ずれなどの不具合を確実に防止する。
【００１６】
請求項３では、筒状体４Ａの上下端部に一対の連結ナット４Ｂを固着することによって、カプラー４の製造が容易になる。また、筒状体４Ａの側壁を貫通する貫通孔４Ｃを設けておくと、この貫通孔４Ｃにシノなどを挿入してカプラー４を回転させることが可能になる。さらに、貫通孔４Ｃから筒状体４Ａ内にモルタル状の注入剤を注入することにより、この筒状体４Ａによって基礎コンクリートの内部に生じる空間を埋めることもできる。
【００１７】
さらに請求項４、５に記載のカプラー４を選択することで、どのような径のアンカーボルト１でも十分に連結することができる。また、アンカーボルト１と脚部５との径やピッチが異なっている場合でも接続することが可能になり、基礎工事の選択肢を増やすことができる。
【００１８】
請求項６によると、アンカーボルト１の径が長ボルトの径の規格内にあるときなどは、前記カプラー４として長ナットを使用することができる。
【００１９】
このように、本考案によると、基礎用配筋の設置作業を妨げずにアンカーボルトを配置でき、コンクリート打設時のアンカーボルトの位置ずれを防止するとともに、作業性がよく、基礎工事の選択肢を増やすことができるなどといった有益な種々の効果を奏するものである。
【考案を実施するための最良の形態】
【００２０】
本考案の最良の形態は、複数本のアンカーボルト１の上部を主筋Ｓの妨げにならない間隔に保持するテンプレート２と、このアンカーボルト１の下部をテンプレート２と同じ間隔で保持する補助フレーム３とを設ける。該補助フレーム３の下方に突出したアンカーボルト１の下方に連結され該アンカーボルト１を支持する脚部５を設ける。該脚部５の上端とアンカーボルト１の下端とに連結され、アンカーボルト１の高さを調整するカプラー４を設ける。基礎Ｑ設置位置に敷設された捨てコンクリートＲの上面に固定され、脚部５の下端部を支持する金属製の支持プレート６を設ける。補助フレーム３に保持されるアンカーボルト１は、該補助フレーム３上面の貫通孔周囲に配置された定着板７と、該定着板７を補助フレーム３側に押圧する固定ナット３Ｂを備える。前記カプラー４は、筒状体４Ａの上下端部に一対の連結ナット４Ｂを固着すると共に、該筒状体４Ａの側壁を貫通する貫通孔４Ｃを設けることで、当初の目的を達成するものである。
【実施例】
【００２１】
以下、本考案を図示例に基づいて説明する。本考案固定具では、複数本のアンカーボルト１を所定の間隔に保持するテンプレート２と補助フレーム３とを有するものである。
【００２２】
テンプレート２には、アンカーボルト１の上部を所定の間隔に配置する挿通孔２Ａを開穿してあり、この挿通孔２Ａに挿通したアンカーボルト１を固定ナット２Ｂでテンプレート２に固定する（図３参照）。図示のテンプレート２は、挿通孔２Ａを開穿した短冊状の基板２Ｃを４枚組み合わせて環状に連結したものを使用している。このようなテンプレート２により、挿通孔２Ａの間隔設定が正確になり、テンプレート２の強度を高めることもできる。尚、このテンプレート２はアンカーボルト１に鉄骨を連結する際に外され、代わりに鉄骨用のベースプレートＴが装着される（図１参照）。
【００２３】
補助フレーム３は、テンプレート２と同じ構成を成し、アンカーボルト１の下部に配設している。すなわち、テンプレート２と同様に、補助フレーム３に形成した挿通孔３Ａにアンカーボルト１を挿通し、固定ナット３Ｂで補助フレーム３に固定する。このとき、補助フレーム３の上面に、アンカーボルト１を保持する貫通孔周囲に配置された定着板７を設け、アンカーボルト１にネジ止めされた固定ナット３Ｂと該定着板７とを補助フレーム３側に押圧固定するように設けている。
【００２４】
カプラー４は、ボルト状の脚部５の上端とアンカーボルト１の下端とに連結される部材で、アンカーボルト１の高さを調整する。図示のカプラー４は、筒状体４Ａの上下端部に一対の連結ナット４Ｂを固着すると共に、該筒状体４Ａの側壁を貫通する貫通孔４Ｃを設けたものである。この貫通孔４Ｃは、シノなどの先端を挿入できるようにしたもので、カプラー４を回転させる作業を容易にすることができる。また、径の大きなカプラー４を使用する場合、この貫通孔４Ｃから筒状体４Ａの内部にモルタル上の充填物を充填することで、筒状体４Ａ内の空間をなくすことができる。さらに、小径の筒状体４Ａを使用する場合は貫通孔４Ｃを設けなくても良い。また、連結ナット４Ｂの固着面は、図示例に限られるものではない。
【００２５】
カプラー４において、上下の連結ナット４Ｂの径やピッチを変えて固着することも可能である。このようなカプラー４により、径やピッチの異なるアンカーボルト１と脚部５とを連結することも可能になる。また、アンカーボルト１の径が比較的細い場合などでは、カプラー４として長ボルトの使用も可能になる。
【００２６】
脚部５は、支持プレート６上に支持固定するボルトであり、この支持プレート６は捨てコンクリートＲの上面に固定されている（図１参照）。そして、支持プレート６上で、この脚部５を回転させることで、連結枠体４とアンカー保持部３とを介してアンカーボルト１の高さを調整する。図２に示す脚部５には、固定用の回転操作用の操作ナット５Ａを脚部５に固着している。脚部５の下端部は、アンカーボルト１の高さ調整後に、支持プレート６に溶接されるものである。
【００２７】
支持プレート６は、基礎Ｑ設置位置に予め敷設された捨てコンクリートＲの上に固定されるもので、図示例では、アンカー６Ａで固定する（図２参照）。また、各脚部５の位置にそれぞれ支持プレート６を配する他、一対の帯状支持プレート６や、１枚の支持プレート６を使用するなど、支持プレート６の設置数は任意に変更することができる（図示せず）。
【００２８】
尚、本考案は図示例に限定されるものではなく、本考案の要旨を変更しない範囲で任意に変更することができるものである。
【図面の簡単な説明】
【００２９】
【図１】本考案の使用状態を示す正断面図である。
【図２】本考案の使用状態を示す正面図である。
【図３】本考案のテンプレートを示す平面図である。
【図４】本考案のカプラーの他の実施例を示す正面図である。
【符号の説明】
【００３０】
Ｐ 構造物
Ｑ 基礎
Ｒ 捨てコンクリート
Ｓ 主筋
１ アンカーボルト
２ テンプレート 
２Ａ 挿通孔
２Ｂ 固定ナット
２Ｃ 基板
３ 補助フレーム 
３Ａ 挿通孔
３Ｂ 固定ナット
４ カプラー 
４Ａ 筒状体
４Ｂ 連結ナット
４Ｃ 貫通孔
５ 脚部
５Ａ 操作ナット
６ 支持プレート
６Ａ アンカー
７ 定着板
【図１】
0003131447.tif 000003
【図２】
0003131447.tif 000004
【図３】
0003131447.tif 000005
【図４】
0003131447.tif 000006